(57)【要約】【課題】紙媒体やプラスチック媒体の駐車券は紛失や磁気損失、破損の問題があった。【解決手段】電子マネー機能を有し、かつ識別子情報を有する非接触ＩＣ媒体１を駐車場の入り口に設置した非接触リーダライタ装置２−１にかざすと、前記識別子情報と入場時刻情報が駐車場管理サーバ装置３に送信され、データベース部３−１に蓄積される。駐車場契約店舗で購買を行う際、前記非接触ＩＣ媒体１をＰＯＳ４に備えられた非接触リーダライタ装置４−１にかざすと、前記非接触ＩＣ媒体の電子マネー機能で決済が行われ、同時に前記識別子情報に基づき駐車場管理サーバ装置３に決済情報が送信され、データベース３−１に蓄積される。車両出庫の際は、非接触リーダライタ装置５−１に前記非接触ＩＣ媒体１をかざすことにより、データベース３−１内の情報を呼び出し、前記データベース３−１内の情報に基づき駐車場利用料金を算出し、利用者へ課金する。【選択図】図１
2008159008.tif 000002
【特許請求の範囲】
【請求項１】
自媒体を識別する識別子情報と決済情報とを記憶した不揮発メモリを備え、近距離無線通信可能な媒体と、駐車場入口付近に設置され前記媒体から受信した前記識別子情報をサーバ装置に送信する第一リーダ装置と、前記媒体から前記決済情報を受信し、前記決済情報で特定される金額について決済処理を行う第二リーダ装置と、前記駐車場出口付近に設置され前記媒体から受信した前記識別子情報を前記サーバ装置に送信し、前記サーバ装置が算出した精算結果を受信する第三リーダ装置と、前記第一リーダ装置から受信した前記識別子情報と、前記第一リーダ装置が前記媒体から前記識別子情報を受信した入庫時刻と前記第二リーダ装置から受信した前記金額を対応づけて記憶し、前記第三リーダからの前記識別子情報を含む要求に応じて、前記第三リーダ装置が前記媒体から前記識別子情報を受信した出庫時刻と前記入庫時刻と前記金額とに基づいて精算金額を算出し、算出した結果を前記第三リーダ装置に送信する前記サーバ装置とを備えることを特徴とする駐車場料金決済システム。
【発明の詳細な説明】
【技術分野】
【０００１】  本発明は、店舗の駐車場における車両の入場・出場管理システムに関し、特に店舗における決済金額に応じて駐車料金割引サービスを行う店舗と駐車場において、非接触ＩＣ媒体を利用することにより駐車場料金の課金・決済を効率化する駐車場管理システムに関する。
【背景技術】
【０００２】  従来より、大規模商店や店舗の駐車場においては、利用者が車両を駐車場に入庫する際、駐車場の入口に設置された発券機から発行された駐車券を受け取った後入庫し、利用者は店舗における商品購買の決済時、その駐車券を店舗へ提示し、商品購買の金額がある一定額に達すると、駐車料金を割引するための押印や磁気的な記録が駐車券に対して行なわれている。車両の出庫時には、駐車券に記録された押印又は磁気的な記録に基づき算出された割引金額を差し引いた金額が最終的な駐車場利用料金として利用者課金されるものがあった。このような従来の技術においては、駐車券を紛失したり、折り曲げや磁気損失により駐車券が使用できなくなる可能性があった。また、店舗は紙やプラスチックで製造された駐車券を各利用者に発券するため、その発行コストが必要である上、それらの発行は資源の無駄となっていた。さらに、店舗における店員は、利用者の店舗における商品購入金額が駐車場料金割引のための一定額に達したかどうかを確認する必要があり、押印や磁気的な記録を行うなどのコストが発生していた。【０００３】  上記従来技術を解決するために、従来より非接触ＩＣ媒体を用いた駐車場入退場管理システムが提案されている。たとえば参考文献１および参考文献２には、非接触ＩＣ媒体に対して駐車券に該当する情報を持たせることにより、駐車券の代わりとして利用する駐車場管理システムが開示されている。
【特許文献１】  特開平１１−２５０２９３号公報  「駐車場管理システム」
【特許文献２】  特開平  ９−  ７３５６４号公報  「駐車料金精算システム」
【発明の開示】
【発明が解決しようとする課題】
【０００４】  非接触ＩＣ媒体は、複数の機能を有することができる。たとえば、携帯電話などの移動体端末装置に搭載されている非接触ＩＣ媒体は、電子マネーや定期券などの機能を持たせることが出来る。特に電子マネーの機能は、店舗における小額決済の手法として期待されており、これは店舗において非接触ＩＣ媒体のリーダライタ端末にかざして課金を行うものである。【０００５】  上記従来技術においては、非接触ＩＣ媒体に商店や店舗で利用するための電子マネー機能が搭載されつつある現状が考慮されていない。上記従来方式によれば、店舗および駐車場の利用者は電子マネー用の非接触ＩＣ媒体と駐車場管理用の非接触ＩＣ媒体それぞれを用意する必要があり、一方店舗は電子マネー用非接触ＩＣ媒体リーダライタ装置と駐車場管理用非接触ＩＣリーダライタ装置を用意する必要があり、利用者と店舗は利用シーンに応じて複数ある非接触ＩＣ媒体と非接触ＩＣリーダライタ装置を使い分ける必要があるため、効率が悪かった。【０００６】  本発明は、このような実情に鑑みて為されたものであり、同一の非接触ＩＣ媒体に対して電子マネー機能と駐車場管理機能を持たせ、さらに商店の決済時における電子マネーの決済のためのトランザクションと、駐車場管理のためのトランザクションのやり取りが可能な非接触ＩＣリーダライタ装置とで構成された駐車場管理システムであって、本発明の駐車場管理システムでは、一度の商品購入のための決済行為で、商品購買のための電子マネーの決済と、駐車場利用料金割引のための駐車情報更新の手続きを非接触ＩＣ媒体を用いて行うことができるものである。
【課題を解決するための手段】
【０００７】  本提案システムでは、固有識別子情報を有する非接触ＩＣ媒体を利用して、前記固有識別子情報と前記固有識別子情報に関連する情報を蓄積するための駐車場管理サーバ装置と、前記駐車場管理サーバ装置に接続された車両の入場制御装置、車両の退場制御装置、および店舗において商品の決済を行うためのＰＯＳ（Ｐｏｉｎｔ  Ｏｆ  ｓａｌｅｓ  Ｓｙｓｔｅｍ）とで構成されている。【０００８】  前記入場制御装置、前記退場制御装置、および前記ＰＯＳは、前記非接触ＩＣ媒体との間で情報のやりとりが可能な複数の非接触ＩＣリーダラータ装置とそれぞれ接続されており、前記非接触ＩＣリーダライタ装置から読み取った前記非接触ＩＣ媒体の前記固有識別子情報を読み取って前記駐車場管理サーバ装置へ送信する。さらに、前記入場制御装置は入庫の時刻情報、前記ＰＯＳは商品購買の決済情報を前記駐車場管理サーバ装置へ送信する。前記退場制御装置は、前記駐車場管理サーバ装置から前記入庫の時刻情報、前記商品決済情報を受信する。【０００９】  車両で駐車場へ来場した利用者は、電子マネー機能を有する非接触ＩＣ媒体を前記入場制御装置に備えられた第一の非接触ＩＣリーダライタ装置へかざすと、前記固有識別子情報と、駐車場入庫時刻が前記駐車場管理サーバ装置へ送信された後、ゲートが開き入庫が可能な状態となる。前記駐車場管理サーバ装置は、前記固有識別子情報と、前記固有識別子情報で管理される形態で前記駐車場入庫時刻を蓄積する。利用者は、店舗において商品購買を行う際、前記非接触ＩＣ媒体の電子マネー機能を用いて、ＰＯＳに接続された第ニの非接触ＩＣリーダライタ装置へ前記非接触ＩＣ媒体をかざし、決済を行う。電子マネーの決済トランザクションが終了すると、前記ＰＯＳは前記固有識別子情報を前記非接触ＩＣ媒体より読み取り、前記固有識別子情報と決済情報を前記駐車場管理サーバ装置へ送信する。前記駐車場管理サーバ装置は、送信されてきた前記固有識別子情報と、前記固有識別子情報で管理される形態で前記決済情報を蓄積する。利用者は車両で退出する場合、前記退場制御装置にて駐車場利用料金の決済を行うが、前記退場制御装置に接続された第三の非接触ＩＣリーダライタ装置へ前記非接触ＩＣ媒体をかざし、前記前場制御装置は前記固有識別子情報を読み取り、前記固有識別子情報で管理されている前期駐車場入庫時刻、および前記決済情報を前記退場制御装置へ送信する。前記退場制御装置では、前記入庫時刻に基づいて清算金額を算出し、前記決済情報に基づいて購入した商品の合計金額から割引金額を算出し、前記清算金額から前記割引金額を差し引いた金額を最終的な駐車料金として利用者へ課金する。
【発明の効果】
【００１０】  本発明に係る駐車場料金決済システムによれば、駐車場の利用者は電子マネーによる決済の手続きと駐車場の割引に関する手続きを同時に行うことができ、駐車券の存在を意識しなくてよい。利用者は車両の出庫時に、自動的に駐車場利用料金の精算金額から購入した商品金額に応じた割引金額を差し引いた金額が請求されるため、駐車場利用料金の精算行為のための稼動が低減できる。また、店舗は決済と駐車券割引に関連する機能を同一のＰＯＳに持たせることが出来、装置に要するコストを低減することが可能となる。さらに駐車券への押印や磁気的な記録を行うための店員の稼動を低減することができる。
【発明を実施するための最良の形態】
【００１１】  以下、本発明の実施の形態について添付図面を参照して詳細に説明する。
図１は、本発明の一実施の形態に係る駐車場料金決済システムの全体構成を示す図である。図１に示すように、本実施の形態に係る駐車場料金決済システムは、非接触ＩＣ媒体１と、駐車場管理サーバ装置３に接続された入場制御装置２と、ＰＯＳ４と、退場制御装置５とで構成される。非接触ＩＣ媒体１と通信を行うためのインターフェースとなる非接触ＩＣリーダライタ装置２−１、４−１、および５−１は、それぞれ入場制御装置２、ＰＯＳ４、および退場制御装置５に接続されている。ゲートＧｉｎ２−２およびゲートＧｏｕｔ５−２は開閉させることが出来、開いた状態でのみ車両は通過することができる。入場制御装置２はゲートＧｉｎ２−２の開閉を制御し、退場制御装置５はゲートＧｏｕｔ５−２の開閉を制御する。駐車場管理サーバ装置３はデータベース部３−１を有しており、データベース部３−１は非接触ＩＣ媒体１の固有識別子情報と入場時刻と商品購買記録とを記録できる。【００１２】  本駐車場料金決済システムで構成される非接触ＩＣ媒体について図２を用いて説明する。
図２において、ＩＣカード型の非接触ＩＣ媒体１は非接触ＩＣ制御部１−１及びアンテナ部１−２を有しており、前記非接触ＩＣ制御部１−１はメモリ部１−１ａを有しており、メモリ部１−１ａは固有識別子情報を保持している。アンテナ部１−２は、任意の非接触ＩＣリーダライタ装置との情報の送受信を行うための電波送受信装置である。外部の非接触ＩＣリーダライタ装置は、前記アンテナ部１−２に近づけると両者の間で情報のやりとりを行える状態となり、メモリ部１−１ａ内の固有識別子情報を非接触ＩＣリーダライタ装置へ送信できる。また、非接触ＩＣリーダライタ装置から送信された情報は、アンテナ部１−２を通じて受信し、メモリ部１−１ａへ保存することもできる。前記非接触媒体１は、移動体通信を行う携帯端末や移動体通信端末に内臓されていてもよい。【００１３】  駐車場管理サーバ装置３に接続されたデータベース部３−１について、図３を用いて説明する。
図３において、前記データベース部３−１に記録される情報を示している。前記記録情報は、固有識別子情報と、駐車場名情報と、入場時刻情報と、購買情報と、店舗情報と、退場時刻情報を含む。固有識別子情報と、駐車場名情報と、入場時刻情報は図１における入場制御装置２から送信されるものである。購買情報と、店舗情報はＰＯＳ４から送信されるものである。退場時刻情報は退場制御装置５から送信されるものである。前記記録情報は、固有識別子情報毎に用意される。【００１４】  本駐車場料金決済システムで構成される駐車場へ、利用者が乗った車両が入場する場合について図１および図４を用いて説明する。
図１において、入庫しようとしている車両は閉じた状態にあるゲートＧｉｎ２−２に近づき、一旦停止する。入場制御装置２は、車両が近づくとそれを感知できる機能を有しており、前記車両の接近を感知すると、非接触ＩＣリーダライタ装置２−１に対して起動命令を送信し、非接触ＩＣ媒体１のメモリ１−１ａ内の情報を読み書き可能な状態へと遷移させる。
当該状態で、利用者が非接触ＩＣ媒体１を非接触ＩＣリーダライタ装置２−１と通信可能な状態まで接近させると、前記非接触リーダライタ装置２−１は前記非接触ＩＣ媒体１と相互認証を行い、固有識別子情報を読み取る。非接触ＩＣ媒体１の固有識別子情報は非接触ＩＣリーダライタ２−１を通じて入場制御装置へ送られ、駐車場管理サーバ装置３へ送信される。入場制御装置２は時計を有しており、前記入場制御装置２は、前記非接触ＩＣリーダライタ装置２−１が前記非接触ＩＣ媒体１がら情報を読み込んだ際の時刻を、入場時刻情報として取得し、駐車場管理サーバ装置３へと送信する。さらに、入場制御装置２は入場制御装置固有の識別子情報を有しており、駐車場名情報として駐車場管理サーバ装置３へ送信する。こうして駐車場管理サーバ３へ送信された駐車場管理サーバ装置３へ送信された非接触ＩＣ媒体１の固有識別子情報、入場時刻情報、および駐車場名情報は、データベース部３−１に記録される。入場制御装置２はすべての情報を送信後、入場ゲートＧｉｎ２−２を開き、車両は通過が可能となって、入庫を行うことができる。【００１５】  入場ゲートＧｉｎ２−２が開く前に、非接触ＩＣリーダライタ装置２−１は、駐車時刻や駐車場に関する情報を非接触ＩＣ媒体１に送信し、非接触ＩＣ媒体１に備えられたディスプレイに表示したり、メモリ部１−１ａに蓄積した後で任意の時に呼び出し、前記ディスプレイに表示してもよい。【００１６】  次に、ＰＯＳ（Ｐｏｉｎｔ  Ｏｆ  ｓａｌｅｓ  Ｓｙｓｔｅｍ）について図１を用いて説明する。
ＰＯＳ４は商品購買時に利用者との間で金銭のやりとりを行う決済端末である。非接触ＩＣ媒体１は、電子マネー機能を有しており、非接触ＩＣリーダライタ装置４−１を通して電子決済が可能である。電子マネー機能は、あらかじめ一定の金額を蓄積させるプリペイド型でもよいし、クレジット機能のポストペイド型でもよい。
利用者は割引サービス対象店舗にて購買をする際、非接触ＩＣ媒体１を非接触ＩＣリーダライタ装置４−１に近づけることにより商品購買に関わる決済を実施する。【００１７】  非接触ＩＣリーダライタ装置４−１は、決済のトランザクションが完了すると、引き続き駐車場の利用に関する情報のやりとりを自動的に開始する。これは本発明の特徴である。
非接触ＩＣリーダライタ装置４−１は非接触ＩＣ媒体１から固有識別子情報を読み出し、駐車場管理サーバ装置３へと送信する。駐車場管理サーバ装置３では、前記固有識別子に基づいてデータベース部３−１を検索し、前記固有識別子とそれに関連する情報の存在を確認する。前記固有識別子の情報がデータベース部３−１に存在するならば、前記ＰＯＳ４は前記固有識別子と紐付けて管理された駐車場名情報を駐車場管理サーバ装置３を通じてデータベース部３−１から受信する。ＰＯＳ４では、前記駐車場名情報をもとに、店舗が利用を認めている駐車場かどうかをチェックし、利用を認めている駐車場ならば利用者の有する非接触ＩＣ媒体１の固有識別子情報と、電子マネーによる決済時の購買情報及び店舗情報を駐車場管理サーバ装置３へと送信する。前記購買情報は購入金額であり、複数の商品を購買したならば複数の購買情報となって送信されてもよい。【００１８】  電子マネーによる決済と同時に、非接触ＩＣリーダライタ装置４−１は、商品購買に関する情報を非接触ＩＣ媒体１に送信し、非接触ＩＣ媒体１に備えられたディスプレイに表示したり、メモリ部１−１ａに蓄積した後で任意の時に呼び出し、前記ディスプレイに表示してもよい。【００１９】  次に、本駐車場料金決済システムで構成される駐車場から、利用者が乗った車両が退場する場合について図１、図５および図６を用いて説明する。図５は、車両退場時の駐車場管理サーバ３の動作を示すフローチャートである。図６は、退場時の各機器の処理内容を示したシーケンス図である。
図１において、退場制御装置５は退場ゲートＧｏｕｔ５−２を有しており、非接触ＩＣリーダライタ装置５−１に接続されている。退場ゲートＧｏｕｔ５−２は通常閉じた状態としており、この状態においては車両を退場させることはできない。入場制御装置５はこれら出場時の構成機器の動作を制御するものである。【００２０】  退場制御装置５は、前記車両の接近を感知すると、非接触ＩＣリーダライタ装置５−１に対して起動命令を送信し、非接触ＩＣ媒体１のメモリ１−１ａ内に保持されている固有識別子情報の情報を読み込み可能な状態へと遷移させる。
当該状態で、利用者が非接触ＩＣ媒体１を非接触ＩＣリーダライタ装置５−１へかざすと、前記非接触リーダライタ装置５−１は前記非接触ＩＣ媒体１と相互認証を行い、前記固有識別子情報を読み取る。退場制御装置５は、前記非接触ＩＣリーダライタ装置５−１が前記非接触ＩＣ媒体１から前記固有識別子情報を読み込んだ際の時刻を判定し、それを退場時刻情報とする。【００２１】  駐車場管理サーバ３は退場制御装置５からの情報を受信すると（段階Ｓ０１）、図５に示すように、前記駐車場管理サーバ３は前記退場制御装置５より受信した固有識別子情報から、データベース部３−１に前記識別子情報が存在するか確認を行う（段階Ｓ０２）。
前記固有識別子情報が存在しない場合は退場制御装置５へ前記固有識別子情報が存在しなかった事を伝える情報を送信する（段階Ｓ０３）。
段階Ｓ０２において、前記識別子情報が存在した場合、データベース部３−１に保持されている図５に示す入場時刻情報と退場時刻情報より、演算部３−１を用いて課金すべき駐車料金を算出する（段階Ｓ０４）。【００２２】  前記固有識別子情報が存在した場合、前記駐車場管理サーバ装置３は前記固有識別子情報に紐付けられた図５の情報を参照し、前記固有識別子情報と紐付けられた購買情報が存在するか確認を行い（段階Ｓ０５）、購買情報が存在した場合は駐車料金割引条件を満たすか判定を行う（段階Ｓ０６）。前記駐車場料金割引条件は、購買金額の合算値により決定されるものであって、前記合算値が一定額を超えるならば、任意の金額を駐車場利用料金から割り引くものである。【００２３】  段階Ｓ０５にて、購買情報が存在した場合には段階Ｓ０４にて前記演算部３−１により算出された課金すべき駐車場料金情報を、退場制御装置５へと送信する（段階Ｓ０８）。
段階Ｓ０５にて、購買情報が存在した場合には演算部３−１を用いて、購買情報の金額が駐車料金割引条件を満たしているか判定を行い（段階Ｓ０６）、購買情報の金額が駐車料金割引条件を満たしていない場合は、段階Ｓ０４にて前記演算部３−１により算出された課金すべき駐車料金情報を、退場制御装置５へと送信する（段階Ｓ０８）。【００２４】  段階Ｓ０６にて、購買情報の金額が駐車料金割引条件を満たしていた場合、段階Ｓ０４にて算出された駐車場料金から、段階０６にて判定された駐車料金割引適用額分を差し引く演算を行う（段階Ｓ０７）。
こうして、最終的に利用者へ課金すべき最終的な駐車料金金額が決定し、この情報を段階Ｓ０７により退場制御装置５へと送信する（段階Ｓ０８）。【００２５】  利用者は退場の際、前記固有識別子情報を読み出すために非接触リーダライタ装置５−１へ非接触ＩＣ媒体１を既にかざしている最中であり、この行為が完了する前に退場制御装置５は駐車場管理サーバ３から受信した駐車料金情報に基づき、駐車料金の決済処理を非接触ＩＣ媒体１の電子マネーにより実施する。【００２６】  決済終了後、退場制御装置５はゲートＧｏｕｔ５−２を開き、これにより車両は退場が可能となる。車両がゲートＧｏｕｔ５−２を通過すると、退場制御装置５はゲートＧｏｕｔ５−２を閉じた状態へと遷移させる。【００２７】  ゲートＧｏｕｔ５−２が開く前に、非接触ＩＣリーダライタ装置５−１は、退場時刻や駐車場利用に関する情報を非接触ＩＣ媒体１に送信し、非接触ＩＣ媒体１に備えられたディスプレイに表示したり、メモリ部１−１ａに蓄積した後で任意の時に呼び出し、前記ディスプレイに表示してもよい。
【図面の簡単な説明】
【００２８】
【図１】駐車場機器概要の実施例を示したブロック図である。
【図２】非接触ＩＣ媒体１の構成を示したブロック図である。
【図３】駐車場管理サーバ装置のデータベース部３−２の保持情報について示した説明図である。
【図４】入場時の各機器の処理内容を示したシーケンス図である。
【図５】退場時の駐車場管理サーバの動作を示すフローチャートである。
【図６】退場時の各機器の処理内容を示したシーケンス図である。
【符号の説明】
【００２９】１        非接触ＩＣ媒体
１−１    非接触ＩＣ制御部
１−１ａ  メモリ部
１−２    アンテナ部
２        入場制御装置
２−１    非接触ＩＣリーダライタ装置
２−２    ゲートＧｉｎ
３        駐車場管理サーバ装置
３−１    データベース部
４        ＰＯＳ
４−１    非接触ＩＣリーダライタ装置
５        退場制御装置
５−１    非接触ＩＣリーダライタ装置
５−２    ゲートＧｏｕｔ
【図１】
2008159008.tif 000003
【図２】
2008159008.tif 000004
【図３】
2008159008.tif 000005
【図４】
2008159008.tif 000006
【図５】
2008159008.tif 000007
【図６】
2008159008.tif 000008